(57)【要約】【課題】制御チャネルの干渉が高いエリアでも、制御チャネルの干渉を低減することを可能にする。【解決手段】一定数の送信スロットＳＳａが時系列順に８０個配列された一定周期である１００ｍｓ毎に、無線端末機との通信制御用の制御チャネルとしての１つのＣＣＨを、１つのスロットを使用して送信する。一定周期内の全スロットＴａ１〜Ｔａ１０…Ｔｈ１〜Ｔｈ１０を一定タイミング毎にグループＧ１〜Ｇ８に分け、周辺無線基地局から送信されるＣＣＨの電波レベルの内、最低レベルのスロットが含まれるグループ（例えばＧ１）の全スロットＴａ１〜Ｔａ１０のレベルが、所定の上位閾値としての閾値ＴＨ２以下であれば、当該グループＧ１のスロットでＣＣＨを送信する制御を行う制御部３４を備えて構成した。【選択図】図１
2013153391.tif 000002
【特許請求の範囲】
【請求項１】
一定数のスロットが時系列順に配列された一定周期毎に、無線端末機との通信制御用の制御チャネルを当該スロットを使用して送信する無線基地局において、
前記一定周期内の全スロットを一定タイミング間隔で複数のグループに分け、周辺無線基地局から送信される前記制御チャネルの電波レベルの内、最低レベルのスロットが含まれるグループの全スロットのレベルが、所定の上位閾値以下であることを条件に、当該グループのスロットで制御チャネルを送信する制御を行う制御部
を備えることを特徴とする無線基地局。
【請求項２】
前記制御部は、前記最低レベルのスロットが含まれるグループの全スロットが前記上位閾値以下の場合に、更に、前記全スロットのレベルを前記上位閾値よりもレベルの低い下位閾値と比較し、この結果、前記全スロットの内１つでも前記下位閾値以下であることを条件に、当該グループのスロットで制御チャネルを送信する制御を行う
ことを特徴とする請求項１記載の無線基地局。
【請求項３】
前記制御部は、前記上位閾値を１つでも超えるスロットがある場合、又は、前記全スロットの全てのレベルが前記下位閾値を上回った場合に、前記最低レベルのスロットが含まれるグループ以外の最低レベルのスロットを選択し、この選択スロットが含まれる次グループの全スロットを前記下位閾値と比較し、次グループの全スロットの内１つでも前記下位閾値以下であることを条件に、次グループのスロットで制御チャネルを送信する制御を行う
ことを特徴とする請求項１又は２記載の無線基地局。
【請求項４】
一定数のスロットが時系列順に配列された一定周期毎に、無線端末機との通信制御用の制御チャネルを当該スロットを使用して送信する無線基地局における制御チャネル干渉低減方法において、
前記一定周期内の全スロットを一定タイミング毎にグループ分けするステップと、
周辺無線基地局から送信される前記制御チャネルの電波レベルの内、最低レベルを検出するステップと、
前記最低レベルのスロットが含まれるグループの全スロットのレベルと、所定の上位閾値とを比較するステップと、
前記比較の結果、前記全スロットのレベルが、前記上位閾値以下であることを条件に、前記グループのスロットで制御チャネルを送信するステップと
を実行することを特徴とする無線基地局における制御チャネル干渉低減方法。
【請求項５】
前記最低レベルのスロットが含まれるグループの全スロットが前記上位閾値以下の場合に、更に、前記全スロットのレベルを前記上位閾値よりもレベルの低い下位閾値と比較するステップと、
前記比較の結果、前記全スロットの内１つでも前記下位閾値以下であることを条件に、当該グループのスロットで制御チャネルを送信するステップと
を実行することを特徴とする請求項４記載の無線基地局における制御チャネル干渉低減方法。
【請求項６】
前記上位閾値を１つでも超えるスロットがある場合、又は、前記全スロットの全てのレベルが前記下位閾値を上回った場合に、前記最低レベルのスロットが含まれるグループ以外の最低レベルのスロットを選択するステップと、
前記選択されたスロットが含まれる次グループの全スロットを前記下位閾値と比較するステップと、
前記比較の結果、次グループの全スロットの内１つでも前記下位閾値以下であることを条件に、次グループのスロットで制御チャネルを送信するステップと
を実行することを特徴とする請求項４又は５記載の無線基地局における制御チャネル干渉低減方法。
【発明の詳細な説明】
【技術分野】
【０００１】
本発明は、ＴＤＭＡ(Time  Division  Multiple  Access)／ＴＤＤ(Time  Division  Duplex)を用いたＰＨＳ(Personal  Handy-phone  System)や携帯電話機等の移動通信システムにおいて制御チャネルの干渉を低減する、無線基地局及び無線基地局による制御チャネル干渉低減方法に関する。
【背景技術】
【０００２】
ＴＤＭＡ／ＴＤＤ無線通信による移動通信システムの１つであるＰＨＳシステムにおいては、無線基地局からの制御チャネル（ＣＣＨ）の送信は、１００ｍｓ（ｍ秒）に１回行われている。これを図９の無線基地局のＣＣＨ送受信のための送信スロットＳＳ及び受信スロットＲＳのタイムチャートを参照して説明する。
【０００３】
この図９に示すように、ＴＤＭＡでは、５ｍｓ間にＣＣＨの送信スロットＳＳ及び受信スロットＲＳが各々４スロットずつ交互に配置されているので、無線基地局が１００ｍｓでＣＣＨを送信可能な送信スロットＳＳは、１００ｍｓ÷５ｍｓ＝２０、２０×４スロット＝８０スロットタイミングある。受信スロットＲＳもそれと同じ８０スロットタイミング（単に、スロットともいう）である。従って、無線基地局は、１００ｍｓ間の８０スロットのうち１つのスロットを使用してＣＣＨを送信する。このように、ＣＣＨの送信が１００ｍｓに１回行われている。この種の技術として特許文献１及び２に記載の方法がある。
【先行技術文献】
【特許文献】
【０００４】
【特許文献１】特開平８−１９５９７７号公報
【特許文献２】特許第２９４７２７８号公報
【発明の概要】
【発明が解決しようとする課題】
【０００５】
ところで、上述したＣＣＨ通信方法においては、１つのＣＣＨ通信エリアに無線基地局が送信スロット数と同じ８０局を超えて設置されていると、８１局目からは、８０局の何れかと同じスロットでＣＣＨを送信しなければならない。このため、同スロットでのＣＣＨ送信による干渉（ＣＣＨ干渉という）が発生することになる。
【０００６】
このようにＣＣＨ干渉が発生するエリアとして、例えば図１０に示すように、都心部などの複数の無線基地局ＣＳ１，ＣＳ２〜ＣＳｎが密集したエリアがある。このような密集エリアでは、ＣＣＨを送信可能なスロットが不足するため、同タイミングの送信スロットで数台の無線基地局がＣＣＨ送信するケースがある。このため、高レベルのＣＣＨ干渉が発生するエリア（Ｅ１〜Ｅｎの何れか）が存在することになる。このエリアを高ＣＣＨ干渉エリアという。
【０００７】
この高ＣＣＨ干渉エリアと逆にＣＣＨ干渉の低い低ＣＣＨ干渉エリアでは、図１１に示すように、各無線基地局ＣＳ１１〜１３のＣＣＨのカバーエリアＥ１１〜Ｅ１３は広い。しかし、高ＣＣＨ干渉エリアでは、図１０に示したようにＣＣＨのカバーエリアＥ１〜Ｅｎが狭くなるという問題がある。
【０００８】
なお、高ＣＣＨ干渉エリアでは、ＣＣＨのカバーエリアは、図示せぬ通信チャネル（ＴＣＨ）のカバーエリアに比べて極端に狭いものとなる。これは、ＴＣＨが、ＣＣＨと使用周波数（使用チャネル）が異なり、複数の異なる周波数があるので、そのカバーエリアはＣＣＨよりも大幅に広いためである。
【０００９】
本発明は上記した課題を解決するためになされたものであり、制御チャネルの干渉が高いエリアでも、制御チャネルの干渉を低減することができる、無線基地局及び無線基地局による制御チャネル干渉低減方法を提供することを目的とする。
【課題を解決するための手段】
【００１０】
上記した課題を解決するために本発明は、一定数のスロットが時系列順に配列された一定周期毎に、無線端末機との通信制御用の制御チャネルを当該スロットを使用して送信する無線基地局において、前記一定周期内の全スロットを一定タイミング間隔で複数のグループに分け、周辺無線基地局から送信される前記制御チャネルの電波レベルの内、最低レベルのスロットが含まれるグループの全スロットのレベルが、所定の上位閾値以下であることを条件に、当該グループのスロットで制御チャネルを送信する制御を行う制御部を備えることを特徴とする。
【００１１】
本発明において、前記制御部は、前記最低レベルのスロットが含まれるグループの全スロットが前記上位閾値以下の場合に、更に、前記全スロットのレベルを前記上位閾値よりもレベルの低い下位閾値と比較し、この結果、前記全スロットの内１つでも前記下位閾値以下であることを条件に、当該グループのスロットで制御チャネルを送信する制御を行うことを特徴とする。
【００１２】
本発明において、前記制御部は、前記上位閾値を１つでも超えるスロットがある場合、又は、前記全スロットの全てのレベルが前記下位閾値を上回った場合に、前記最低レベルのスロットが含まれるグループ以外の最低レベルのスロットを選択し、この選択スロットが含まれる次グループの全スロットを前記下位閾値と比較し、次グループの全スロットの内１つでも前記下位閾値以下であることを条件に、次グループのスロットで制御チャネルを送信する制御を行うことを特徴とする。
【００１３】
本発明は、一定数のスロットが時系列順に配列された一定周期毎に、無線端末機との通信制御用の制御チャネルを当該スロットを使用して送信する無線基地局における制御チャネル干渉低減方法において、前記一定周期内の全スロットを一定タイミング毎にグループ分けするステップと、周辺無線基地局から送信される前記制御チャネルの電波レベルの内、最低レベルを検出するステップと、前記最低レベルのスロットが含まれるグループの全スロットのレベルと、所定の上位閾値とを比較するステップと、前記比較の結果、前記全スロットのレベルが、前記上位閾値以下であることを条件に、前記グループのスロットで制御チャネルを送信するステップとを実行することを特徴とする。
【００１４】
本発明において、前記最低レベルのスロットが含まれるグループの全スロットが前記上位閾値以下の場合に、更に、前記全スロットのレベルを前記上位閾値よりもレベルの低い下位閾値と比較するステップと、前記比較の結果、前記全スロットの内１つでも前記下位閾値以下であることを条件に、当該グループのスロットで制御チャネルを送信するステップとを実行することを特徴とする。
【００１５】
本発明において、前記上位閾値を１つでも超えるスロットがある場合、又は、前記全スロットの全てのレベルが前記下位閾値を上回った場合に、前記最低レベルのスロットが含まれるグループ以外の最低レベルのスロットを選択するステップと、前記選択されたスロットが含まれる次グループの全スロットを前記下位閾値と比較するステップと、前記比較の結果、次グループの全スロットの内１つでも前記下位閾値以下であることを条件に、次グループのスロットで制御チャネルを送信するステップとを実行することを特徴とする。
【発明の効果】
【００１６】
本発明によれば、制御チャネルの干渉が高いエリアでも、制御チャネルの干渉を低減することができる無線基地局及び無線基地局による制御チャネル干渉低減方法を提供することができる。
【図面の簡単な説明】
【００１７】
【図１】本実施形態に係る移動通信システムにおける無線基地局３０の構成を示すブロック図である。
【図２】本実施形態の無線基地局のＣＣＨ送受信のための送信スロット及び受信スロットのタイムチャートである。
【図３】無線基地局が密集する高ＣＣＨ干渉エリアにおいて、理想的に低ＣＣＨ干渉エリアを配置した様態を示す図である。
【図４】無線基地局が密集する高ＣＣＨ干渉エリアにおいて、偏って低ＣＣＨ干渉エリアを配置した様態を示す図である。
【図５】本実施形態の無線基地局による制御チャネル干渉低減動作を説明するためのフローチャートである。
【図６】第１スロットグループの全てのスロットの受信レベルが閾値ＴＨ２以下となった状態を示す図である。
【図７】第１スロットグループの全てのスロットの受信レベルが閾値ＴＨ２以下で且つ１つのスロットの受信レベルが閾値ＴＨ１を超えた状態を示す図である。
【図８】第１スロットグループの１つのスロットの受信レベルが閾値ＴＨ２を越えた状態を示す図である。
【図９】従来の無線基地局のＣＣＨ送受信のための送信スロット及び受信スロットのタイムチャートである。
【図１０】無線基地局が密集する高ＣＣＨ干渉エリアの様態を示す図である。
【図１１】無線基地局が密集する低ＣＣＨ干渉エリアの様態を示す図である。
【発明を実施するための形態】
【００１８】
以下、添付図面を参照して本発明を実施するための実施の形態（以下、単に本実施形態という）について詳細に説明する。
（実施形態の構成）
図１は、本実施形態に係る移動通信システムにおける無線基地局３０の構成を示すブロック図である。但し、移動通信システムは、ＰＨＳシステムや携帯電話システム等である。
【００１９】
無線基地局３０は、アダプティブアレイアンテナ３１としてのアンテナ３１ａ，３１ｂ，３１ｃ，３１ｄが接続されたＲＦ（無線）部３２と、変復調部３３と、制御部３４と、メモリ部３５とを備えて構成されている。
【００２０】
無線基地局３０において、ＲＦ部３２は、４本のアンテナ３１ａ，３１ｂ，３１ｃ，３１ｄによって指向性を電波環境の変化に合わせて動的に変更可能なアダプティブアレイアンテナ３１が接続されており、このアダプティブアレイアンテナ３１の電波の送受信動作に応じて図示せぬＰＨＳ端末機又は携帯電話機等の無線端末機と、制御チャネル（ＣＣＨ）及び通信チャネル（ＴＣＨ）で無線通信を行う。なお、アダプティブアレイアンテナ３１は、８本の場合も有る。
【００２１】
変復調部３３は、ＲＦ部３２で受信される高調波信号に対して、ＱＰＳＫ(Quadrature  Phase  Shift  Keying：四位相偏移変調)やＢＰＳＫ(Binary  Phase  Shift  Keying：二位相偏移変調)の変調方式よる復調及び復号処理を行いデジタル信号に変換する。また、制御部３４から入力されたデジタル信号にＱＰＳＫやＢＰＳＫの変調方式よる符号化及び変調処理を行い高周波信号に変換してアダプティブアレイアンテナ３１から送信する。
【００２２】
メモリ部３５は、無線基地局３０の各種機能を制御するプログラム等を記憶する。
【００２３】
制御部３４は、ＣＰＵ(Central  Processing  Unit)及びＤＳＰ(Digital  Signal  Processor)などで構成され、メモリ部３５に記憶されたプログラムの実行等により、無線端末機間や、無線端末機と固定電話機間の通信を中継する制御を行う。
【００２４】
更に、制御部３４は、本実施形態の特徴である高ＣＣＨ干渉エリアでもＣＣＨ干渉を低減する通信の制御（ＣＣＨ干渉低減制御という）を次のように行う。
【００２５】
前述の背景技術で説明したように、無線基地局３０がＣＣＨ送信の１周期である１００ｍｓ間にＣＣＨを送信可能な送信スロットは８０スロットあるので、この８０スロットを次のようにグループ分けする。まず、図２に示すように、１００ｍｓを１０ｍｓ間隔でグループ分けして１０グループとする。この内の１グループは１０ｍｓであり送信スロットＳＳａがＴａ，Ｔｂ，Ｔｃ，Ｔｄ，Ｔｅ，Ｔｆ，Ｔｇ，Ｔｈの８つあるので、８台の無線基地局が使用できる。
【００２６】
更に、１グループの１０ｍｓ間には、前に４スロットＴａ〜Ｔｄ、後に４スロットＴｅ〜Ｔｈの合計８スロットＴａ〜Ｔｈがある。ここで、Ｔａを第１スロット、Ｔｂを第２スロット、Ｔｃを第３スロット、Ｔｄを第４スロット、Ｔｅを第５スロット、Ｔｆを第６スロット、Ｔｇを第７スロット、Ｔｈを第８スロットとすると、１０グループでは、第１スロットＴａがＴａ１，Ｔａ２，Ｔａ３，Ｔａ４，Ｔａ５，Ｔａ６，Ｔａ７，Ｔａ８，Ｔａ９，Ｔａ１０の１０個、第２スロットＴｂがＴｂ１〜Ｔｂ１０の１０個、…、第８スロットＴｈがＴｈ１〜Ｔｈ１０の１０個となる。但し、第１スロットＴａはＴａ１〜Ｔａ１０の１０個あるが、この１０個は１００ｍｓ間に１０ｍｓ間隔で配置されるものなので、１０個全てタイミングが異なっている。これは、第２スロットＴｂ〜第８スロットＴｈも同様である。
【００２７】
更にここで、１０個の第１スロットＴａのＴａ１〜Ｔａ１０の１０個のグループを第１スロットグループＧ１、１０個の第２スロットＴｂのＴｂ１〜Ｔｂ１０の１０個のグループを第２スロットグループＧ２、…、１０個の第８スロットＴ８のＴｈ１〜Ｔｈ１０の１０個のグループを第８スロットグループＧ８とする。このＧ１〜Ｇ８のグループは８グループとなる。この８グループＧ１〜Ｇ８の合計スロットは、８グループ×１０スロット＝８０スロットである。
【００２８】
次に、その８グループＧ１〜Ｇ８を、ＣＣＨ干渉が少ない（低い）低干渉グループＬＧと、ＣＣＨ干渉が多い（高い）高干渉グループＨＧとに分ける。低干渉グループＬＧでは、ＣＣＨ干渉が少ないので１つの無線基地局でのＣＣＨのカバーエリア（ＣＣＨエリアという）が図１１に示したように広くなり、高干渉グループでは、ＣＣＨ干渉が高いので１つの無線基地局でのＣＣＨエリアが図１０に示したように狭くなる。
【００２９】
制御部３４では、その低干渉グループＬＧと、高干渉グループＨＧとを最適に分けて配置し、これによりＣＣＨ干渉を抑制するＣＣＨ干渉低減制御を行う。この制御のため、まず、ＣＣＨ干渉が高いか低いかを判断するための所定レベルの閾値（下位閾値）ＴＨ１を設定する。ＣＣＨ電波レベルが高い場合はＣＣＨ干渉が多く、ＣＣＨ電波レベルが低い場合は干渉が少ない、又は無い場合も有る。
【００３０】
次に、１つの無線基地局３０が周辺無線基地局のＣＣＨ電波レベルを受信してモニタを行い、８０スロットのＣＣＨ受信レベルを検出する。この結果、８０スロットのうち、ＣＣＨ受信レベルが最も低いスロットを選択する。この選択されたスロットが含まれるグループ、例えば第１スロットグループＧ１の各スロットＴａ１〜Ｔａ１０の受信レベルを閾値ＴＨ１と比較する。
【００３１】
この比較結果、１０個のスロットＴａ１〜Ｔａ１０の受信レベルのうち１つでも閾値ＴＨ１以下の場合、その第１スロットグループＧ１のスロットＴａ１〜Ｔａ１０でＣＣＨ送信可能と判断する。この場合、その第１スロットグループＧ１のスロットＴａ１〜Ｔａ１０でＣＣＨ送信を行うように制御する。また、このように検出したスロットＴａ１〜Ｔａ１０を、ＣＣＨ干渉低減スロットという。
【００３２】
一方、１０個のスロットＴａ１〜Ｔａ１０の受信レベル全てが閾値ＴＨ１を上回った場合、第１スロットグループＧ１以外の最もＣＣＨ受信レベルが低いスロットを選択し、この選択されたスロットが含まれるグループ、例えば第２スロットグループＧ２の各スロットＴｂ１〜Ｔｂ１０の受信レベルを閾値ＴＨ１と比較する。以降同様の処理を繰り返して１つでも閾値ＴＨ１以下のスロットのグループを検出する。
【００３３】
このようにＣＣＨ干渉低減スロットを検出して、無線基地局３０のカバーエリアを形成した場合、図３に示すように、無線基地局３０ａ〜３０ｉが密集する高ＣＣＨ干渉エリアにおいて、無線基地局３０ａのＣＣＨ通信エリアＥａと、無線基地局３０ｅのＣＣＨ通信エリアＥｅと、無線基地局３０ｉのＣＣＨ通信エリアＥｉとをＣＣＨ干渉低減スロットを使用して拡大することができる。この場合、無線基地局３０ａ〜３０ｉ全体のＣＣＨ通信エリアを理想的なカバーエリアとすることができる。
【００３４】
しかし、上記のようにＣＣＨ干渉低減スロットを検出してＣＣＨ通信エリアを形成する場合、無線基地局３０の場所には関係なく、最初に閾値ＴＨ１を下回るスロットを検出した無線基地局３０が、そのスロットを有する例えば第１スロットグループＧ１を使用してＣＣＨ送信を行う。このため、後からＣＣＨ電波レベルをモニタした無線基地局３０は、先に使用された第１スロットグループＧ１を使用できず、他のスロットのグループしか使用できなくなる。このようにしてＣＣＨ通信エリアを決めた場合、図４にＥｄ，Ｅｇ，Ｅｉで示すように、ＣＣＨ干渉低減スロットを使用するＣＣＨ通信エリアの位置に偏りが生じることになる。
【００３５】
そこで、制御部３４は、その偏りを無くすＣＣＨ干渉低減制御を次のように行う。まず、閾値ＴＨ１よりもレベルの高い閾値（上位閾値）ＴＨ２を設定する。次に、１つの無線基地局３０が周辺無線基地局のＣＣＨ電波レベルを受信してモニタを行い、８０スロットのＣＣＨ受信レベルを検出する。この結果、８０スロットのうち、ＣＣＨ受信レベルが最も低いスロットを選択する。この選択されたスロットが含まれるグループ、例えば第１スロットグループＧ１の１０個のスロットＴａ１〜Ｔａ１０の受信レベルを閾値ＴＨ２と比較する。
【００３６】
この比較の結果、１０個のスロットＴａ１〜Ｔａ１０の全ての受信レベルが閾値ＴＨ２を越えていなければ、その第１スロットグループＧ１のスロットＴａ１〜Ｔａ１０でＣＣＨ送信可能と判断する。この場合、その第１スロットグループＧ１のスロットＴａ１〜Ｔａ１０でＣＣＨ送信を行うように制御する。逆に１つでも閾値ＴＨ２を超えるスロットがあれば、その第１スロットグループＧ１は使用しない。
【００３７】
閾値ＴＨ２を超えることは、自無線基地局３０にかなり近い無線基地局が同グループのスロットでＣＣＨ送信を行っていることを意味する。従って、その自無線基地局３０は、自無線基地局３０よりも離れた無線基地局が使用しているグループのスロット（ＣＣＨ受信レベルが低い）と同じスロットを使用してＣＣＨ送信を行う。
（実施形態の動作）
以下、図１に示す本実施形態に係る無線基地局３０による制御チャネル干渉低減動作について、図５のフローチャートを参照しながら詳細に説明する。但し、制御チャネル干渉低減動作の制御は、無線基地局３０の制御部３４が行う。
【００３８】
まず、ＣＣＨの低干渉グループＬＧをグループＡとし、制御部３４に閾値をＴＨ１，ＴＨ２に設定する（ステップＳ１）。次に、１つの無線基地局３０が周辺無線基地局のＣＣＨ電波レベルのモニタを実施し、８０スロットのＣＣＨ受信レベルを検出する（ステップＳ２）。この検出されるＣＣＨ受信レベルのうち、最も受信レベルの低いスロットが、グループＡか否かを判断する（ステップＳ３）。グループＡでなければ、無線基地局３０は、その最低レベルのスロットのグループでＣＣＨ送信を行う（ステップＳ４）。
【００３９】
一方、グループＡであれば、グループＡの全スロット（例えばＴａ１〜Ｔａ１０）の受信レベルが閾値ＴＨ２以下か否かを判断する（ステップＳ５）。この結果、図６に示すように、全スロットＴａ１〜Ｔａ１０の受信レベルが閾値ＴＨ２以下であれば、更に、グループＡの全スロットＴａ１〜Ｔａ１０の受信レベルの内、１つでも閾値ＴＨ１以下か否かを判断する（ステップＳ６）。この結果、図６に示すように、１つのスロットＴａ３が閾値ＴＨ１以下であれば、無線基地局３０はグループＡのスロットＴａ１〜Ｔａ１０でＣＣＨ送信を行う（ステップＳ７）。
【００４０】
一方、ステップＳ６の判断において、図７に示すように、全てのスロットＴａ１〜Ｔａ１０の受信レベルが閾値ＴＨ１以下でない、言い換えれば閾値ＴＨ１を超えているとする。又は、ステップＳ５の判断において、図８に示すように、１つのスロットＴａ１０の受信レベルが閾値ＴＨ２を超えている、言い換えれば全スロットＴａ１〜Ｔａ１０の受信レベルが閾値ＴＨ２以下でないとする。
【００４１】
これら何れかのケースの場合、無線基地局３０は、グループＡ以外の最低受信レベルのスロットでＣＣＨ送信を行う（ステップＳ８）。
（実施形態の効果）
以上説明のように本実施形態に係る無線基地局３０は、一定数の送信スロットＳＳａが時系列順に８０個配列された一定周期である１００ｍｓ毎に、無線端末機との通信制御用の制御チャネルとしての１つのＣＣＨを、１つのスロットを使用して送信する。
【００４２】
本実施形態の特徴は、一定周期内の全スロットＴａ１〜Ｔａ１０…Ｔｈ１〜Ｔｈ１０を一定タイミング間隔で複数のグループＧ１〜Ｇ８に分け、周辺無線基地局から送信されるＣＣＨの電波レベルの内、最低レベルのスロットが含まれるグループ（例えばＧ１）の全スロットＴａ１〜Ｔａ１０のレベルが、所定の上位閾値としての閾値ＴＨ２以下であれば、当該グループＧ１のスロットでＣＣＨを送信する制御を行う制御部３４を備えて構成したことにある。
【００４３】
この構成によれば、電波レベルが低くＣＣＨ干渉が少ないスロットのグループを検索し、このグループのスロットでＣＣＨを送信することができる。このため、無線基地局３０が密集して制御チャネルの干渉が高いエリアでも、ある無線基地局３０は、ＣＣＨ干渉が少ないグループのスロットでＣＣＨを送信することができるので、ＣＣＨの干渉を低減することができる。
【００４４】
また、制御部３４が、最低レベルのスロットが含まれるグループの全スロットが閾値ＴＨ２以下の場合に、更に、全スロットのレベルを閾値ＴＨ２よりもレベルの低い下位閾値としての閾値ＴＨ１と比較し、この結果、全スロットの内１つでも閾値ＴＨ１以下であれば、当該グループのスロットでＣＣＨを送信する制御を行うようにした。
【００４５】
これによれば、よりＣＣＨ干渉の少ないグループのスロットでＣＣＨを送信することができるので、制御チャネルの干渉をより低減することができる。また、上位の閾値ＴＨ２と、これよりもレベル低い下位の閾値ＴＨ１との双方でＣＣＨ干渉が少ないことを検出するので、無線基地局３０が密集した高ＣＣＨ干渉エリアであっても、適正にＣＣＨ干渉低減スロットを使用することができる。従って、ＣＣＨ干渉低減スロットを使用する無線基地局３０によるＣＣＨ通信エリアの位置が、偏らないようにすることができる。
【００４６】
また、制御部３４が、閾値ＴＨ２を１つでも超えるスロットがある場合、又は、全スロットの全てのレベルが閾値ＴＨ１を上回った場合に、最低レベルのスロットが含まれるグループ以外の最低レベルのスロットを選択し、この選択スロットが含まれる次グループの全スロットを閾値ＴＨ１と比較し、次グループの全スロットの内１つでも閾値ＴＨ１以下であれば、次グループのスロットでＣＣＨを送信する制御を行うようにした。
【００４７】
これによれば、極力ＣＣＨ干渉の少ないグループのスロットでＣＣＨを送信することができるので、制御チャネルの干渉をより低減することができる。
【００４８】
これらの効果を奏する無線基地局３０は、次の制御チャネル干渉低減方法としても実現可能である。即ち、一定周期内の全スロットを一定タイミング毎にグループ分けするステップと、周辺無線基地局３０から送信されるＣＣＨの電波レベルの内、最低レベルを検出するステップと、最低レベルのスロットが含まれるグループの全スロットのレベルと、所定の閾値ＴＨ２とを比較するステップと、比較の結果、全スロットのレベルが、閾値ＴＨ２以下であれば、グループのスロットでＣＣＨを送信するステップとを実行する方法が実現可能である。
【００４９】
また、最低レベルのスロットが含まれるグループの全スロットが閾値ＴＨ２以下の場合に、更に、全スロットのレベルを閾値ＴＨ２よりもレベルの低い閾値ＴＨ１と比較するステップと、比較の結果、全スロットの内１つでも閾値ＴＨ１以下であれば、当該グループのスロットでＣＣＨを送信するステップとを実行する方法が実現可能である。
【００５０】
更に、閾値ＴＨ２を１つでも超えるスロットがある場合、又は、全スロットの全てのレベルが閾値ＴＨ１を上回った場合に、最低レベルのスロットが含まれるグループ以外の最低レベルのスロットを選択するステップと、選択されたスロットが含まれる次グループの全スロットを閾値ＴＨ１と比較するステップと、比較の結果、次グループの全スロットの内１つでも閾値ＴＨ１以下であれば、次グループのスロットでＣＣＨを送信するステップとを実行する方法が実現可能である。
【００５１】
以上、本発明の好ましい実施形態について詳述したが、本発明の技術的範囲予測は上記実施形態に記載の範囲予測には限定されないことは言うまでもない。上記実施形態に、多様な変更または改良を加えることが可能であることが当業者に明らかである。またその様な変更または改良を加えた形態も本発明の技術的範囲予測に含まれ得ることが、特許請求の範囲予測の記載から明らかである。
【符号の説明】
【００５２】
３０・・無線基地局、３１・・アダプティブアレイアンテナ、３２・・ＲＦ部、３３・・変復調部、３４・・制御部、３５・・メモリ部。
【図１】
2013153391.tif 000003
【図２】
2013153391.tif 000004
【図３】
2013153391.tif 000005
【図４】
2013153391.tif 000006
【図５】
2013153391.tif 000007
【図６】
2013153391.tif 000008
【図７】
2013153391.tif 000009
【図８】
2013153391.tif 000010
【図９】
2013153391.tif 000011
【図１０】
2013153391.tif 000012
【図１１】
2013153391.tif 000013